(57)【要約】【課題】蓄積されたコンテンツの中から適切なコンテンツを容易に検索する。【解決手段】制御部１０２が、通信部１０３によってコンテンツが添付された電子メールが送信または受信された際に、電子メールの本文のテキストデータからキーワードを抽出し、抽出したキーワードの変換候補としてコンテンツのコンテンツ識別情報をキーワードと対応付けて文字変換データ蓄積部１０８に蓄積し、文字入力部１０７に文字が入力された際、入力された文字に応じたキーワードに基づいて、コンテンツ識別情報を文字変換データ蓄積部１０８から検索し、検索したコンテンツ識別情報に応じたコンテンツをコンテンツ蓄積部１０９から読み出し、読み出したコンテンツをキーワードの変換候補として表示部１０４に表示させる。【選択図】図１
2011170743.tif 000002
【特許請求の範囲】
【請求項１】
通信装置であって、
当該通信装置以外の通信装置との間で通信を行う通信部と、
当該通信装置の外部から文字を入力するための文字入力部と、
コンテンツを表示する表示部と、
前記コンテンツを、該コンテンツを識別するためのコンテンツ識別情報とともに蓄積するコンテンツ蓄積部と、
前記文字入力部に入力される文字と該文字の変換候補とを対応付けた文字変換データを蓄積する文字変換データ蓄積部と、
前記通信部が、前記コンテンツが添付された電子メールを送信または受信した際に、該電子メールの本文のテキストデータからキーワードを抽出し、該抽出したキーワードの変換候補として該コンテンツのコンテンツ識別情報を該キーワードと対応付けて前記文字変換データ蓄積部に蓄積し、前記文字入力部に文字が入力された際、該文字に応じたキーワードに基づいて、前記コンテンツ識別情報を前記文字変換データ蓄積部から検索し、該検索したコンテンツ識別情報に応じたコンテンツを前記コンテンツ蓄積部から読み出し、該読み出したコンテンツを該キーワードの変換候補として前記表示部に表示させる制御部とを有する通信装置。
【請求項２】
請求項１に記載の通信装置において、
前記制御部は、前記抽出したキーワードそれぞれの抽出頻度に応じて、該キーワードの重み付け係数をそれぞれに設定し、該重み付け係数に基づいて、前記キーワードを前記文字変換データ蓄積部に蓄積することを特徴とする通信装置。
【請求項３】
請求項２に記載の通信装置において、
前記制御部は、前記重み付け係数が所定の閾値よりも高いキーワードのみを前記文字変換データ蓄積部に蓄積することを特徴とする通信装置。
【請求項４】
請求項１に記載の通信装置において、
当該通信装置の位置を示す位置情報を取得する位置情報取得部をさらに有し、
前記制御部は、前記コンテンツが添付された電子メールを送信した際に、前記抽出したキーワードと該コンテンツのコンテンツ識別情報と前記位置情報取得部が取得した位置情報とを対応付けて前記文字変換データ蓄積部に蓄積し、前記文字入力部に文字が入力された際、該文字に応じたキーワードと前記位置情報とに基づいて、前記コンテンツ識別情報を前記文字変換データ蓄積部から検索することを特徴とする通信装置。
【請求項５】
通信装置に蓄積されたコンテンツを検索するコンテンツ検索方法であって、
コンテンツが添付された電子メールを送信または受信した際に、該電子メールの本文のテキストデータからキーワードを抽出する処理と、
前記コンテンツを、該コンテンツを識別するためのコンテンツ識別情報とともに、当該通信装置に具備されたコンテンツ蓄積部に蓄積する処理と、
前記抽出したキーワードの変換候補として該コンテンツを識別するためのコンテンツ識別情報を該キーワードと対応付けて当該通信装置に具備された文字変換データ蓄積部に蓄積する処理と、
当該通信装置に文字が入力された際、該文字に応じたキーワードに基づいて、前記コンテンツ識別情報を前記文字変換データ蓄積部から検索する処理と、
前記検索したコンテンツ識別情報に応じたコンテンツを前記コンテンツ蓄積部から読み出す処理と、
前記読み出したコンテンツを該キーワードの変換候補として表示する処理とを行うコンテンツ検索方法。
【請求項６】
請求項５に記載のコンテンツ検索方法において、
前記抽出したキーワードそれぞれの抽出頻度に応じて、該キーワードの重み付け係数をそれぞれに設定する処理と、
前記重み付け係数に基づいて、前記キーワードを前記文字変換データ蓄積部に蓄積する処理とを行うことを特徴とするコンテンツ検索方法。
【請求項７】
請求項５に記載のコンテンツ検索方法において、
当該通信装置の位置を示す位置情報を取得する処理と、
前記コンテンツが添付された電子メールを送信した際に、前記抽出したキーワードと該コンテンツのコンテンツ識別情報と前記位置情報とを対応付けて前記文字変換データ蓄積部に蓄積する処理と、
前記文字が入力された際、該文字に応じたキーワードと前記位置情報とに基づいて、前記コンテンツ識別情報を前記文字変換データ蓄積部から検索する処理とを行うことを特徴とするコンテンツ検索方法。
【請求項８】
通信装置に、
コンテンツが添付された電子メールを送信または受信した際に、該電子メールの本文のテキストデータからキーワードを抽出する手順と、
前記コンテンツを、該コンテンツを識別するためのコンテンツ識別情報とともに、当該通信装置に具備されたコンテンツ蓄積部に蓄積する手順と、
前記抽出したキーワードの変換候補として該コンテンツを識別するためのコンテンツ識別情報を該キーワードと対応付けて当該通信装置に具備された文字変換データ蓄積部に蓄積する手順と、
当該通信装置に文字が入力された際、該文字に応じたキーワードに基づいて、前記コンテンツ識別情報を前記文字変換データ蓄積部から検索する手順と、
前記検索したコンテンツ識別情報に応じたコンテンツを前記コンテンツ蓄積部から読み出す手順と、
前記読み出したコンテンツを該キーワードの変換候補として表示する手順とを実行させるためのプログラム。
【請求項９】
請求項８に記載のプログラムにおいて、
前記抽出したキーワードそれぞれの抽出頻度に応じて、該キーワードの重み付け係数をに設定する手順と、
前記重み付け係数に基づいて、前記キーワードを前記文字変換データ蓄積部に蓄積する手順とを実行させるためのプログラム。
【請求項１０】
請求項８に記載のプログラムにおいて、
当該通信装置の位置を示す位置情報を取得する手順と、
前記コンテンツが添付された電子メールを送信した際に、前記抽出したキーワードと該コンテンツのコンテンツ識別情報と前記位置情報とを対応付けて前記文字変換データ蓄積部に蓄積する手順と、
前記文字が入力された際、該文字に応じたキーワードと前記位置情報とに基づいて、前記コンテンツ識別情報を前記文字変換データ蓄積部から検索する手順とを実行させるためのプログラム。
【発明の詳細な説明】
【技術分野】
【０００１】
本発明は、保存されたコンテンツを検索する通信装置、コンテンツ検索方法およびプログラムに関する。
【背景技術】
【０００２】
一般的に、携帯電話機などの通信装置において、電子メール作成時に添付するコンテンツ（静止画や音声メモ等）の検索方法としては、コンテンツ選択画面を開き、そこで実際に静止画を再生するなどして、電子メールの作成者がコンテンツを直接選択する方法がとられている。
【０００３】
しかし、この方法では、検索対象のコンテンツの数が増加するにつれて、適切な添付コンテンツを検索するための時間や手間がかかってしまう。
【０００４】
そこで、コンテンツにあらかじめ付与されたキーワードを元に、かな文字変換を行う際に、該当するキーワードのコンテンツ（絵文字）を変換候補として示すことで、検索効率を上げる技術が考えられている（例えば、特許文献１参照。）。
【先行技術文献】
【特許文献】
【０００５】
【特許文献１】特開２００９−０１５７４３号公報
【発明の概要】
【発明が解決しようとする課題】
【０００６】
しかしながら、特許文献１に記載された方法では、コンテンツに適切なキーワードがあらかじめ付与されている必要がある。そのため、そのキーワードを誰かが入力しておかなければならないという問題点がある。
【０００７】
つまり、例えば、個人が使用するカメラ付き携帯電話で撮影された写真などのコンテンツに、撮影毎にキーワードを付与しなければならなく、そのための手間がかかってしまうという問題点がある。
【０００８】
本発明の目的は、上述した課題を解決する通信装置、コンテンツ検索方法およびプログラムを提供することである。
【課題を解決するための手段】
【０００９】
本発明の通信装置は、
通信装置であって、
当該通信装置以外の通信装置との間で通信を行う通信部と、
当該通信装置の外部から文字を入力するための文字入力部と、
コンテンツを表示する表示部と、
前記コンテンツを、該コンテンツを識別するためのコンテンツ識別情報とともに蓄積するコンテンツ蓄積部と、
前記文字入力部に入力される文字と該文字の変換候補とを対応付けた文字変換データを蓄積する文字変換データ蓄積部と、
前記通信部が、前記コンテンツが添付された電子メールを送信または受信した際に、該電子メールの本文のテキストデータからキーワードを抽出し、該抽出したキーワードの変換候補として該コンテンツのコンテンツ識別情報を該キーワードと対応付けて前記文字変換データ蓄積部に蓄積し、前記文字入力部に文字が入力された際、該文字に応じたキーワードに基づいて、前記コンテンツ識別情報を前記文字変換データ蓄積部から検索し、該検索したコンテンツ識別情報に応じたコンテンツを前記コンテンツ蓄積部から読み出し、該読み出したコンテンツを該キーワードの変換候補として前記表示部に表示させる制御部とを有する。
【００１０】
また、本発明のコンテンツ検索方法は、
通信装置に蓄積されたコンテンツを検索するコンテンツ検索方法であって、
コンテンツが添付された電子メールを送信または受信した際に、該電子メールの本文のテキストデータからキーワードを抽出する処理と、
前記コンテンツを、該コンテンツを識別するためのコンテンツ識別情報とともに、当該通信装置に具備されたコンテンツ蓄積部に蓄積する処理と、
前記抽出したキーワードの変換候補として該コンテンツを識別するためのコンテンツ識別情報を該キーワードと対応付けて当該通信装置に具備された文字変換データ蓄積部に蓄積する処理と、
当該通信装置に文字が入力された際、該文字に応じたキーワードに基づいて、前記コンテンツ識別情報を前記文字変換データ蓄積部から検索する処理と、
前記検索したコンテンツ識別情報に応じたコンテンツを前記コンテンツ蓄積部から読み出す処理と、
前記読み出したコンテンツを該キーワードの変換候補として表示する処理とを行う。
【００１１】
また、本発明のプログラムは、
通信装置に実行させるためのプログラムであって、
コンテンツが添付された電子メールを送信または受信した際に、該電子メールの本文のテキストデータからキーワードを抽出する手順と、
前記コンテンツを、該コンテンツを識別するためのコンテンツ識別情報とともに、当該通信装置に具備されたコンテンツ蓄積部に蓄積する手順と、
前記抽出したキーワードの変換候補として該コンテンツを識別するためのコンテンツ識別情報を該キーワードと対応付けて当該通信装置に具備された文字変換データ蓄積部に蓄積する手順と、
当該通信装置に文字が入力された際、該文字に応じたキーワードに基づいて、前記コンテンツ識別情報を前記文字変換データ蓄積部から検索する手順と、
前記検索したコンテンツ識別情報に応じたコンテンツを前記コンテンツ蓄積部から読み出す手順と、
前記読み出したコンテンツを該キーワードの変換候補として表示する手順とを実行させる。
【発明の効果】
【００１２】
以上説明したように、本発明においては、蓄積されたコンテンツの中から適切なコンテンツを容易に検索することができる。
【図面の簡単な説明】
【００１３】
【図１】本発明の通信装置の実施の一形態を示す図である。
【図２】図１に示した形態におけるコンテンツ検索方法のうち、電子メールに添付したコンテンツを登録する処理を説明するためのフローチャートである。
【図３】図１に示した形態におけるコンテンツ検索方法のうち、送信する電子メールに挿入（添付）するコンテンツを検索する処理を説明するためのフローチャートである。
【図４】図１に示した形態の具体的な構成例を示すブロック図である。
【図５】図４に示した文字変換辞書ＤＢの内部構成の一例を示す図である。
【図６】図４に示した携帯電話機におけるコンテンツ検索方法のうち、電子メールに添付したコンテンツを登録する処理を説明するためのフローチャートである。
【図７】図４に示した携帯電話機におけるコンテンツ検索方法のうち、送信する電子メールに挿入（添付）するコンテンツを検索する処理を説明するためのフローチャートである。
【図８】図４に示したディスプレイに表示された画面の一例を示す図である。
【図９】図１に示した形態におけるコンテンツ検索方法のうち、電子メールに添付したコンテンツを抽出頻度に応じて登録する処理を説明するためのフローチャートである。
【図１０】本発明の通信装置の他の実施の形態を示す図である。
【図１１】図１０に示した形態におけるコンテンツ検索方法のうち、電子メールに添付したコンテンツを登録する処理を説明するためのフローチャートである。
【図１２】図１０に示した形態におけるコンテンツ検索方法のうち、送信する電子メールに挿入（添付）するコンテンツを検索する処理を説明するためのフローチャートである。
【発明を実施するための形態】
【００１４】
以下に、本発明の実施の形態について図面を参照して説明する。
【００１５】
図１は、本発明の通信装置の実施の一形態を示す図である。
【００１６】
本形態における通信装置１０１には図１に示すように、制御部１０２と、通信部１０３と、表示部１０４と、コンテンツ生成部１０５と、文字入力部１０７と、文字変換データ蓄積部１０８と、コンテンツ蓄積部１０９とが設けられており、それらが互いに通信路１０６を介して接続されている。
【００１７】
通信部１０３は、通信装置１０１以外の通信装置との間で通信を行う。
【００１８】
表示部１０４は、コンテンツを含め、所定の情報を表示する。
【００１９】
コンテンツ生成部１０５は、コンテンツを生成する。
【００２０】
文字入力部１０７は、通信装置１０１の外部から入力された文字を受け付ける。
【００２１】
文字変換データ蓄積部１０８は、文字入力部１０７に入力される文字と当該文字の変換候補とを対応付けた文字変換データを蓄積する。
【００２２】
コンテンツ蓄積部１０９は、コンテンツを、そのコンテンツを識別するためのコンテンツ識別情報とともに蓄積する。
【００２３】
制御部１０２は、コンテンツが添付された電子メールを通信部１０３によって送信または受信した際に、当該電子メールの本文のテキストデータの字句解析を行って、キーワードを抽出する。この字句解析によるキーワード抽出方法は、ここでは特に規定しない。例えば、電子メールの本文に「富士山へ行った時の写真」と記載されていた場合、助詞や動詞などを除去して名詞のみを抽出し、名詞である「富士山」と「写真」とを得るものであっても良い。また、制御部１０２は、抽出したキーワードの変換候補として、当該電子メールに添付されたコンテンツのコンテンツ識別情報（コンテンツのファイル名）と当該キーワードとを対応付けて文字変換データ蓄積部１０８に蓄積する。また、制御部１０２は、文字入力部１０７に文字が入力された際、入力された文字に応じたキーワードに基づいて、コンテンツ識別情報を文字変換データ蓄積部１０８から検索する。また、制御部１０２は、文字変換データ蓄積部１０８から検索したコンテンツ識別情報に応じたコンテンツ（コンテンツファイル）をコンテンツ蓄積部１０９から読み出す。また、制御部１０２は、コンテンツ蓄積部１０９から読み出したコンテンツをキーワードの変換候補として表示部１０４に表示させる。
【００２４】
以下に、図１に示した形態におけるコンテンツ検索方法について説明する。まずは、図１に示した形態におけるコンテンツ検索方法のうち、電子メールに添付したコンテンツを登録する処理について説明する。
【００２５】
図２は、図１に示した形態におけるコンテンツ検索方法のうち、電子メールに添付したコンテンツを登録する処理を説明するためのフローチャートである。
【００２６】
まず、通信装置１０１を操作する操作者からの操作によって、コンテンツ蓄積部１０９から１つ以上のコンテンツが制御部１０２によって読み出され、送信される電子メール本文に添付され（ステップＳ１）、当該電子メールと、読み出されたコンテンツとが通信部１０３によって、通信装置１０１以外の通信装置へ送信されると（ステップＳ２）、送信された電子メール本文のテキストデータの字句解析が制御部１０２によって行われ、キーワードが抽出される（ステップＳ３）。
【００２７】
ここで、ステップＳ１およびステップＳ２の操作は、文字入力部１０７を用いて行われるものであっても良い。また、コンテンツ蓄積部１０９に蓄積されているコンテンツは、コンテンツ生成部１０５によってあらかじめ生成されたものであっても良いし、受信した電子メールに添付されていたコンテンツであっても良い。また、電子メールを作成するには、表示部１０４が用いられることは言うまでもない。また、ステップＳ３の字句解析は、電子メールの作成中に行われるものであっても、作成が完了した時に行われるものであっても、送信後に行われるものであっても良い。
【００２８】
すると、ステップＳ３で抽出されたキーワードと、電子メールに添付されたコンテンツを識別するためのコンテンツ識別情報（例えば、コンテンツファイルのファイル名）とが、制御部１０２によって対応付けられて文字変換データ蓄積部１０８に蓄積（格納）される（ステップＳ４）。
【００２９】
なお、上述したような電子メールの送信時だけではなく、コンテンツが添付された電子メールの受信時に、受信した電子メール本文の字句解析を行い、抽出されたキーワードを、添付されたコンテンツのコンテンツ識別情報と対応付けて、文字変換データ蓄積部１０８に格納するものであっても良い。このように動作させることで、自分が作成する以上の静止画を自動的にキーワードと対応付けて利用することができるようになる。
【００３０】
続いて、図１に示した形態におけるコンテンツ検索方法のうち、送信する電子メールに挿入（添付）するコンテンツを検索する処理について説明する。
【００３１】
図３は、図１に示した形態におけるコンテンツ検索方法のうち、送信する電子メールに挿入（添付）するコンテンツを検索する処理を説明するためのフローチャートである。
【００３２】
通信装置１０１から送信される電子メールを作成するために、文字入力部１０７から文字変換操作が受け付けられると（ステップＳ１１）、文字変換の対象となる「かな（キーワード）」が、コンテンツ識別情報と対応付けられて文字変換データ蓄積部１０８に蓄積されたものであるかどうかが制御部１０２によって判断される（ステップＳ１２）。つまり、当該キーワードに基づいて、コンテンツ識別情報が文字変換データ蓄積部１０８から検索されることとなる。
【００３３】
コンテンツ識別情報が検索されると、検索されたコンテンツ識別情報に応じたコンテンツが制御部１０２によってコンテンツ蓄積部１０９から読み出される（ステップＳ１３）。
【００３４】
そして、読み出されたコンテンツが、表示部１０４に表示される（ステップＳ１４）。
【００３５】
その後、表示部１０４に表示されたコンテンツが確定されると（ステップＳ１５）、確定されたコンテンツが制御部１０２によって文字の代わりに電子メール本文に挿入される（ステップＳ１６）。この確定方法は、文字変換候補から所望のものを選択する一般的なものである。
【００３６】
なお、コンテンツ蓄積部１０９に格納されるコンテンツは、コンテンツ生成部１０５によって生成されたコンテンツでも良いし、通信部１０３によって外部から取得（受信）したコンテンツであっても良い。また、コンテンツ蓄積部１０９に格納されるコンテンツは、静止画であっても、動画であっても、音声（音楽を含む）であっても良い。
【００３７】
コンテンツ生成部１０５が静止画であるコンテンツを生成する場合、コンテンツ生成部１０５は、スチルカメラの機能であっても良い。また、コンテンツ生成部１０５が動画であるコンテンツを生成する場合、コンテンツ生成部１０５は、ムービーカメラであっても良い。また、コンテンツ生成部１０５が音声（音楽を含む）であるコンテンツを生成する場合、コンテンツ生成部１０５は、集音機能を有するマイクであっても良い。これにより、電子メール本文に挿入されるコンテンツは、静止画であっても、動画であっても、音声（音楽を含む）であっても良い。
【００３８】
なお、電子メール本文に挿入されるコンテンツが静止画である場合は、静止画のサイズを縮小して電子メール本文に絵文字のように表示しても良いし、画面上には静止画を表示しない添付ファイルという形でも良い。また、電子メール本文の背景に表示するようにしても良いし、電子メール本文とは重複しないで文字が回り込むようなレイアウトされた表示でも良い。
【００３９】
また、電子メール本文に挿入されるコンテンツが動画である場合には、画面上には動画を表示しない添付ファイルという形でも良いし、電子メール本文の背景に表示するようにしても良いし、電子メール本文とは重複しないで文字が回り込むようなレイアウトされた表示でも良い。
【００４０】
また、電子メール本文に挿入されるコンテンツが音声（音楽を含む）である場合、電子メール本文を表示する際に自動で再生する、あるいは自動では再生しない添付ファイルという形でも良いし、電子メール本文に挿入されたことが分かる記号や図形が表示され、電子メールの受信側でその記号もしくは図形に対して何らかの操作をすると音声が再生されるような、レイアウトを伴う形でも良い。
【００４１】
以下に、具体的な実施例について説明する。ここでは、通信装置１０１が、携帯電話機４０１である場合を例に挙げて説明する。
【００４２】
図４は、図１に示した形態の具体的な構成例を示すブロック図である。
【００４３】
図４に示すように、携帯電話機４０１には、ＣＰＵ４０２と、通信チップ４０３と、ディスプレイ４０４と、カメラ４０５と、文字入力ボタン４０７と、文字変換辞書ＤＢ４０８と、メディアデータ保存領域４０９とが設けられており、それらが互いにバス４０６を介して接続されている。
【００４４】
ＣＰＵ４０２は、図１に示した制御部１０２に相当する。
【００４５】
通信チップ４０３は、図１に示した通信部１０３に相当する。
【００４６】
ディスプレイ４０４は、図１に示した表示部１０４に相当する。
【００４７】
カメラ４０５は、図１に示したコンテンツ生成部１０５に相当する。
【００４８】
バス４０６は、図１に示した通信路１０６に相当する。
【００４９】
文字入力ボタン４０７は、図１に示した文字入力部１０７に相当する。
【００５０】
文字変換辞書ＤＢ４０８は、図１に示した文字変換データ蓄積部１０８に相当する。
【００５１】
図５は、図４に示した文字変換辞書ＤＢ４０８の内部構成の一例を示す図である。
【００５２】
図４に示した文字変換辞書ＤＢ４０８は図５に示すように、文字テーブル７０１から構成される。文字テーブル７０１には、各入力かな文字７０２と、かな文字変換候補７０３とが対応付けられて格納される。また、かな文字変換候補７０３は、かな漢字変換候補７０４と、かな静止画変換候補７０５とから構成される。
【００５３】
図５に示した例では、「はな」という入力かな文字７０２に対して、「花」、「鼻」、華」および「端」という４つのかな漢字変換候補７０４が対応付けられており、また、ファイル名「Ｓ２００９１２１８０８３８１１.ＪＰＥＧ」および「Ｓ２０１００１０３１２４５５５.ＪＰＥＧ」という２つのかな静止画変換候補７０５が対応付けられており、それらの対応付けが格納されている。
【００５４】
また、メディアデータ保存領域４０９は、図１に示したコンテンツ蓄積部１０９に相当する。また、メディアデータ保存領域４０９は、フラッシュメモリ等の不揮発性メモリであって良い。
【００５５】
以下に、図４に示した携帯電話機４０１におけるコンテンツ検索方法について説明する。まずは、図４に示した携帯電話機４０１におけるコンテンツ検索方法のうち、電子メールに添付したコンテンツを登録する処理について説明する。なお、ここでは、当該コンテンツのファイル形式がＪＰＥＧ形式である静止画の場合を例に挙げて説明する。また、他のファイル形式でも仕組みとしては全く同じであり、ファイル形式の限定は具体性のある例示に過ぎない。
【００５６】
図６は、図４に示した携帯電話機４０１におけるコンテンツ検索方法のうち、電子メールに添付したコンテンツを登録する処理を説明するためのフローチャートである。
【００５７】
まず、携帯電話機４０１を操作する操作者からの操作によって、メディアデータ保存領域４０９から１つ以上のＪＰＥＧファイルがＣＰＵ４０２によって読み出され、送信される電子メール本文に添付され（ステップＳ２１）、当該電子メールと、読み出されたＪＰＥＧファイルとが通信チップ４０３によって、携帯電話機４０１以外の通信装置へ送信されると（ステップＳ２２）、送信された電子メール本文のテキストデータの字句解析がＣＰＵ４０２によって行われ、キーワードが抽出される（ステップＳ２３）。
【００５８】
ここで、ステップＳ２１およびステップＳ２２の操作は、文字入力ボタン４０７を用いて行われるものであっても良い。また、メディアデータ保存領域４０９に蓄積されているＪＰＥＧファイルは、カメラ４０５によってあらかじめ生成されたものであっても良いし、受信した電子メールに添付されていたＪＰＥＧファイルであっても良い。また、電子メールを作成するには、ディスプレイ４０４が用いられることは言うまでもない。また、ステップＳ２３の字句解析は、電子メールの作成中に行われるものであっても、作成が完了した時に行われるものであっても、送信後に行われるものであっても良い。
【００５９】
すると、ステップＳ２３で抽出されたキーワードと、電子メールに添付されたＪＰＥＧファイルのファイル名とが、ＣＰＵ４０２によって対応付けられて文字変換辞書ＤＢ４０８に蓄積（格納）される（ステップＳ２４）。
【００６０】
続いて、図４に示した携帯電話機４０１におけるコンテンツ検索方法のうち、送信する電子メールに挿入（添付）するコンテンツを検索する処理について説明する。
【００６１】
図７は、図４に示した携帯電話機４０１におけるコンテンツ検索方法のうち、送信する電子メールに挿入（添付）するコンテンツを検索する処理を説明するためのフローチャートである。
【００６２】
携帯電話機４０１から送信される電子メールを作成するために、文字入力ボタン４０７から文字変換操作が受け付けられると（ステップＳ３１）、文字変換の対象となる「かな（キーワード）」が、ＪＰＥＧファイルのファイル名と対応付けられて文字変換辞書ＤＢ４０８に蓄積されたものであるかどうかがＣＰＵ４０２によって判断される（ステップＳ３２）。つまり、当該キーワードに基づいて、ＪＰＥＧファイルのファイル名が文字変換辞書ＤＢ４０８から検索されることとなる。
【００６３】
ＪＰＥＧファイルのファイル名が検索されると、検索されたファイル名のＪＰＥＧファイルがＣＰＵ４０２によってメディアデータ保存領域４０９から読み出される（ステップＳ３３）。
【００６４】
そして、読み出されたＪＰＥＧファイルが、ディスプレイ４０４に表示される（ステップＳ３４）。
【００６５】
図８は、図４に示したディスプレイ４０４に表示された画面の一例を示す図である。
【００６６】
図８には、電子メール本文の文字入力中の動作時の画面を示す。
【００６７】
ディスプレイ全体８０１は、メール本文入力欄８０２と、変換候補提示欄８０５とから構成される。
【００６８】
メール本文入力欄８０２には、今、「来週の土曜日、」という変換済みの文字８０３と、「おはな」という変換中のかな文字８０４とが表示されている。また、変換候補提示欄８０５に表示されている、「お花」、「お鼻」、「お花見」および「お花茶屋」は、「おはな」に対する、文字変換候補８０６を示している。また、それらの下に表示されている３つの静止画アイコンは、「おはな」に対する、静止画変換候補８０７である。それぞれ「はな」というかな文字のキーワードに対して、文字変換辞書ＤＢ４０８に登録されていた（蓄積されている）ＪＰＥＧファイルの中身を縮小表示している。
【００６９】
その後、ディスプレイ４０４に表示されたＪＰＥＧファイルが確定されると（ステップＳ３５）、確定されたＪＰＥＧファイルがＣＰＵ４０２によって文字の代わりに電子メール本文に挿入される（ステップＳ３６）。
【００７０】
また、字句解析によって抽出されたキーワードには、本来のコンテンツとは無関係のキーワードも含まれる可能性がある。そのため、そのような無関係のキーワード（不要語）を除去するために、自分が作成した電子メール本文、または、図１に示した通信部１０３によって通信装置１０１と接続された外部サーバ（不図示）と通信して他の人が作成した電子メール本文から抽出したキーワードを統計処理し、重複使用されているキーワードを重視した対応付けを行うように構成して良い。例えば「富士山の写真を送るね。みほりん。」という電子メール本文に写真（コンテンツ）が添付されている場合に、「富士山」および「写真」は変換する際のキーワードとして意味があるが、「みほりん」はその電子メールの相手であり、写真の内容とは無関係である。これを不要語として排除するために、このような手段を使えば、「富士山」「写真」等の共通の意味のあるキーワードのみを抽出できる可能性が高まる。
【００７１】
上述した重複使用されているキーワードを重視した対応付けを用いるものとして、抽出した抽出頻度（抽出回数を含む）に応じて重み付け係数を付与し、当該キーワードを文字変換データ蓄積部１０８に蓄積するものを例に挙げて説明する。
【００７２】
図９は、図１に示した形態におけるコンテンツ検索方法のうち、電子メールに添付したコンテンツを抽出頻度に応じて登録する処理を説明するためのフローチャートである。
【００７３】
まず、通信装置１０１を操作する操作者からの操作によって、コンテンツ蓄積部１０９から１つ以上のコンテンツが制御部１０２によって読み出され、送信される電子メール本文に添付され（ステップＳ４１）、当該電子メールと、読み出されたコンテンツとが通信部１０３によって、通信装置１０１以外の通信装置へ送信されると（ステップＳ４２）、送信された電子メール本文のテキストデータの字句解析が制御部１０２によって行われ、キーワードが抽出される（ステップＳ４３）。
【００７４】
ここで、ステップＳ４１およびステップＳ４２の操作は、文字入力部１０７を用いて行われるものであっても良い。また、コンテンツ蓄積部１０９に蓄積されているコンテンツは、コンテンツ生成部１０５によってあらかじめ生成されたものであっても良いし、受信した電子メールに添付されていたコンテンツであっても良い。また、電子メールを作成するには、表示部１０４が用いられることは言うまでもない。また、ステップＳ３の字句解析は、電子メールの作成中に行われるものであっても、作成が完了した時に行われるものであっても、送信後に行われるものであっても良い。
【００７５】
すると、抽出されたキーワードのうち、抽出頻度（抽出回数を含む）が高いものが制御部１０２によって選択される（ステップＳ４４）。ここで、抽出頻度が高いかどうかを判断するには、抽出頻度が高いものから順に大きな値の重みづけ係数を付与し、当該重みづけ係数があらかじめ設定された閾値よりも大きなものが抽出頻度が高いと判断するものであっても良い。
【００７６】
ここで抽出頻度とは、例えば、１つの電子メール本文から同じキーワードが抽出される回数としても良い。また、重み付け係数を用いるものでなく、抽出頻度そのものを判断基準に用いるものであっても良い。つまり、抽出頻度があらかじめ設定された閾値よりも高いものが選択されるものであっても良い。
【００７７】
すると、ステップＳ４４で選択されたキーワードと、電子メールに添付されたコンテンツを識別するためのコンテンツ識別情報（例えば、コンテンツファイルのファイル名）とが、制御部１０２によって対応付けられて文字変換データ蓄積部１０８に蓄積（格納）される（ステップＳ４５）。
【００７８】
また、電子メールを送信した際の通信装置１０１の位置も、キーワードの抽出条件に加えることにより、意味のあるキーワードのみを抽出できる可能性が高まる。
【００７９】
図１０は、本発明の通信装置の他の実施の形態を示す図である。
【００８０】
本形態における通信装置１０１は図１０に示すように、図１に示した構成要素に、位置情報取得部１１０が追加された構成を有している。
【００８１】
位置情報取得部１１０は、通信装置１０１の位置を示す位置情報を取得する。この位置情報の取得方法は、ＧＰＳ（Ｇｌｏｂａｌ  Ｐｏｓｉｔｉｏｎｉｎｇ  Ｓｙｓｔｅｍ）を用いるものや、通信装置１０１から最寄りの通信基地局の情報を用いるものであっても良い。
【００８２】
また、制御部１０２は、コンテンツが添付された電子メールを送信した際に、抽出したキーワードとコンテンツのコンテンツ識別情報と位置情報取得部１１０が取得した位置情報とを対応付けて文字変換データ蓄積部１０８に蓄積する。また、制御部１０２は、文字入力部１０７に文字が入力された際、入力された文字に応じたキーワードと位置情報取得部１１０が位置情報とに基づいて、コンテンツ識別情報を文字変換データ蓄積部１０８から検索する。
【００８３】
以下に、図１０に示した形態におけるコンテンツ検索方法について説明する。まずは、図１０に示した形態におけるコンテンツ検索方法のうち、電子メールに添付したコンテンツを登録する処理について説明する。
【００８４】
図１１は、図１０に示した形態におけるコンテンツ検索方法のうち、電子メールに添付したコンテンツを登録する処理を説明するためのフローチャートである。
【００８５】
まず、通信装置１０１を操作する操作者からの操作によって、コンテンツ蓄積部１０９から１つ以上のコンテンツが制御部１０２によって読み出され、送信される電子メール本文に添付され（ステップＳ５１）、当該電子メールと、読み出されたコンテンツとが通信部１０３によって、通信装置１０１以外の通信装置へ送信されると（ステップＳ５２）、送信された電子メール本文のテキストデータの字句解析が制御部１０２によって行われ、キーワードが抽出される（ステップＳ５３）。
【００８６】
ここで、ステップＳ５１およびステップＳ５２の操作は、文字入力部１０７を用いて行われるものであっても良い。また、コンテンツ蓄積部１０９に蓄積されているコンテンツは、コンテンツ生成部１０５によってあらかじめ生成されたものであっても良いし、受信した電子メールに添付されていたコンテンツであっても良い。また、電子メールを作成するには、表示部１０４が用いられることは言うまでもない。また、ステップＳ３の字句解析は、電子メールの作成中に行われるものであっても、作成が完了した時に行われるものであっても、送信後に行われるものであっても良い。
【００８７】
また、位置情報取得部１１０によって、通信装置１０１の位置を示す位置情報が取得される（ステップＳ５４）。
【００８８】
すると、ステップＳ５３で抽出されたキーワードと、電子メールに添付されたコンテンツを識別するためのコンテンツ識別情報（例えば、コンテンツファイルのファイル名）と、ステップＳ５４で取得された位置情報とが、制御部１０２によって対応付けられて文字変換データ蓄積部１０８に蓄積（格納）される（ステップＳ５５）。
【００８９】
続いて、図１０に示した形態におけるコンテンツ検索方法のうち、送信する電子メールに挿入（添付）するコンテンツを検索する処理について説明する。
【００９０】
図１２は、図１０に示した形態におけるコンテンツ検索方法のうち、送信する電子メールに挿入（添付）するコンテンツを検索する処理を説明するためのフローチャートである。
【００９１】
通信装置１０１から送信される電子メールを作成するために、文字入力部１０７から文字変換操作が受け付けられると（ステップＳ６１）、位置情報取得部１１０によって、通信装置１０１の位置を示す位置情報が取得される（ステップＳ６２）。
【００９２】
すると、文字変換の対象となる「かな（キーワード）」と取得された位置情報とが、コンテンツ識別情報と対応付けられて文字変換データ蓄積部１０８に蓄積されたものであるかどうかが制御部１０２によって判断される（ステップＳ６３）。つまり、当該キーワードと位置情報とに基づいて、コンテンツ識別情報が文字変換データ蓄積部１０８から検索されることとなる。
【００９３】
コンテンツ識別情報が検索されると、検索されたコンテンツ識別情報に応じたコンテンツが制御部１０２によってコンテンツ蓄積部１０９から読み出される（ステップＳ６４）。
【００９４】
そして、読み出されたコンテンツが、表示部１０４に表示される（ステップＳ６５）。
【００９５】
その後、表示部１０４に表示されたコンテンツが確定されると（ステップＳ６６）、確定されたコンテンツが制御部１０２によって文字の代わりに電子メール本文に挿入される（ステップＳ６７）。
【００９６】
このように、本発明においては、テキストで構成された電子メール本文の送信時に、電子メール本文内のテキストからキーワードを抽出し、そのキーワードを、電子メール本文に添付したコンテンツと対応付けて管理し、次回以降の電子メール作成時には、入力中の文字と、その文字に対応付けられたキーワードとを照合することで、該当するコンテンツを検索することができる。
【００９７】
上述した通信装置１０１に設けられた各構成要素が行う処理は、目的に応じてそれぞれ作製された論理回路で行うようにしても良い。また、処理内容を記述したプログラムを通信装置１０１にて読取可能な記録媒体に記録し、この記録媒体に記録されたプログラムを通信装置１０１に読み込ませ、実行するものであっても良い。通信装置１０１にて読取可能な記録媒体とは、フロッピー（登録商標）ディスク、光磁気ディスク、ＤＶＤ、ＣＤなどの移設可能な記録媒体の他、通信装置１０１に内蔵されたＲＯＭ、ＲＡＭ等のメモリやＨＤＤ等を指す。この記録媒体に記録されたプログラムは、通信装置１０１に設けられた制御部１０２にて読み込まれ、制御部１０２の制御によって、上述したものと同様の処理が行われる。ここで、制御部１０２は、プログラムが記録された記録媒体から読み込まれたプログラムを実行するコンピュータとして動作するものである。
【符号の説明】
【００９８】
１０１    通信装置
１０２    制御部
１０３    通信部
１０４    表示部
１０５    コンテンツ生成部
１０６    通信路
１０７    文字入力部
１０８    文字変換データ蓄積部
１０９    コンテンツ蓄積部
１１０    位置情報取得部
４０１    携帯電話機
４０２    ＣＰＵ
４０３    通信チップ
４０４    ディスプレイ
４０５    カメラ
４０６    バス
４０７    文字入力ボタン
４０８    文字変換辞書ＤＢ
４０９    メディアデータ保存領域
７０１    文字テーブル
７０２    入力かな文字
７０３    かな文字変換候補
７０４    かな漢字変換候補
７０５    かな静止画変換候補
８０１    ディスプレイ全体
８０２    メール本文入力欄
８０３    変換済みの文字
８０４    変換中のかな文字
８０５    変換候補提示欄
８０６    文字変換候補
８０７    静止画変換候補
【図１】
2011170743.tif 000003
【図２】
2011170743.tif 000004
【図３】
2011170743.tif 000005
【図４】
2011170743.tif 000006
【図５】
2011170743.tif 000007
【図６】
2011170743.tif 000008
【図７】
2011170743.tif 000009
【図８】
2011170743.tif 000010
【図９】
2011170743.tif 000011
【図１０】
2011170743.tif 000012
【図１１】
2011170743.tif 000013
【図１２】
2011170743.tif 000014